(57)【要約】【課題】ワイヤレスリモコン発信器側で、システムの警戒モード、警戒解除モードの動作モードを確認することができる防犯システムを提供する。【解決手段】ワイヤレスリモコン発信器４０と、このワイヤレスリモコン発信器４０からの遠隔操作信号を受け付けて、防犯システムを警戒モード、警戒解除モードに少なくとも設定する防犯受信機１０とを組み合わせて成り、防犯受信機１０は、ワイヤレスリモコン発信器４０から状態要求信号を受信したときには、防犯受信機１０で作動中になっている動作モードの状態を状態通知信号として返信し、これを受信したワイヤレスリモコン発信器４０では、その動作モードの状態に応じた報知を行う報知制御手段４１ａを備えている。【選択図】図１
2007233570.tif 000002
【特許請求の範囲】
【請求項１】
ワイヤレスリモコン発信器と、このワイヤレスリモコン発信器からの遠隔操作信号を受け付けて、防犯システムを警戒モード、警戒解除モードに少なくとも設定する防犯受信機とを組み合わせて成り、
上記防犯受信機は、上記ワイヤレスリモコン発信器から状態要求信号を受信したときには、該防犯受信機で作動中になっている動作モードの状態を状態通知信号として返信し、これを受信した上記ワイヤレスリモコン発信器では、その動作モードの状態に応じた報知を行う報知制御手段を備えていることを特徴とする防犯システム。
【請求項２】
請求項１において、
上記ワイヤレスリモコン発信器は、警戒、警戒解除ボタンを設けており、
上記防犯受信機から上記状態通知信号を受けると、上記防犯受信機に対して遠隔操作が有効なボタンを教示する表示制御手段を更に備えていることを特徴とする防犯システム。
【請求項３】
請求項２において、
上記ワイヤレスリモコン発信器は、電源ボタンを設けており、該電源ボタンを操作すると、上記防犯受信機に対して上記状態要求信号を発信し、その後は上記防犯受信機から上記状態通知信号を受信すると、上記表示制御手段を作動して、遠隔操作の可能な操作ボタンを教示した後に、電源を自動的に遮断する構成にしていることを特徴とする防犯システム。
【請求項４】
請求項２または３において、
上記ワイヤレスリモコン発信器は、上記防犯受信機から上記状態通知信号を受けたときには、上記教示された遠隔操作の可能なボタン以外の操作によるワイヤレス発信を禁止する構成にしていることを特徴とする防犯システム。
【発明の詳細な説明】
【技術分野】
【０００１】
本発明は、防犯センサからの異常信号を受信したときに、設定されているモードに従い警報音の鳴動やその防犯センサに対応した警報表示などを行う防犯受信機と、その防犯受信機に対してモード設定を遠隔操作することが可能なワイヤレスリモコン発信器とを備えた防犯システムの改良に関するものである。
【背景技術】
【０００２】
近時、住居やオフィス、集合住宅、ビルなどの建物内においては、窓や玄関などに防犯センサを設置して防犯を集中監視する防犯システムが採用されている。この防犯システムは、異常を感知すると鳴動音を出力するとともに、その感知信号を防犯受信機に送出する防犯センサと、この防犯センサから異常信号を受信して警報音の出力やその防犯センサに対応して設けたシンボルの表示などの警報処理動作をなすワイヤレス防犯受信機とを備えており、警戒モード、警戒解除モードの切替設定ができ、警戒モードのときに防犯センサから感知信号を受信すると上記警報処理を実行する一方、警戒解除モードのときに感知信号を受信しても警報処理を実行しない構成となっている。
【０００３】
すなわち、外出中などのときには警戒モードにセットして防犯監視できる一方、在宅中など窓、玄関を開放した状態などでは警戒解除モードにしておき、防犯監視を停止できるようになっている。
【０００４】
さらに、このような警戒モード、警戒解除モードの切替設定を、ワイヤレスリモコン発信器により行えるようにしたシステムも提案されている。
【０００５】
ワイヤレスリモコン発信器の遠隔操作により警戒セット、警戒解除の切替ができるものでは、住居内で使い勝手がよいだけではなく、住居を警戒モードにした状態で外出し、外出先から帰宅した場合に、玄関を解錠する前に携帯していたワイヤレスリモコン発信器で警戒モードを解除することができ、また、そのときに防犯センサが作動しても警報音が出力されないため、使い勝手がよく、利便性がきわめて高い。
【０００６】
特許文献１には、この種の防犯システムが記載されており、そのシステムではリモコン操作により、警戒モードから非警戒モード（警戒解除モード）に切替設定ができる構成となっている。
【特許文献１】特開２００５−３３８９２０号公報
【発明の開示】
【発明が解決しようとする課題】
【０００７】
ところで、この種の防犯システムでは、ワイヤレスリモコン発信器の操作者が戸外などで警戒モード、警戒解除モードの設定をする場合に、現在どのモードを実行中であるかをワイヤレスリモコン発信器で判断することができないため、警戒モード中に警戒モードを設定操作するなどの無駄な操作がなされることがある。
【０００８】
また、警戒モードの設定を、防犯センサがオン状態となっているとき（例えば窓の閉を検知中）などの所定の条件を満たしているときのみできるようにしたものでは、窓を開放していることにより窓の防犯センサがオフとなっていれば警戒モードには設定することはできず、窓を閉じて防犯センサがオンとなってはじめて警戒モードの設定が可能となるが、作動中の動作モードをワイヤレスリモコン発信器で判別できないシステムでは、防犯センサがオフのときに、リモコン操作者がそのことを知らずに警戒モードの設定操作をして警戒モードに切り替わったと思い込んでしまうような不具合が起こるおそれがある。
【０００９】
本発明は、このような種々の問題を解決すべく提案されたもので、その目的は、ワイヤレスリモコン発信器側で、システムの警戒モード、警戒解除モードなどの動作モードを確認することができる防犯システムを提供することにある。
【課題を解決するための手段】
【００１０】
上記目的を達成するために請求項１に記載の防犯システムは、ワイヤレスリモコン発信器と、このワイヤレスリモコン発信器からの遠隔操作信号を受け付けて、防犯システムを警戒モード、警戒解除モードに少なくとも設定する防犯受信機とを組み合わせて成り、防犯受信機は、ワイヤレスリモコン発信器から状態要求信号を受信したときには、防犯受信機で作動中になっている動作モードの状態を状態通知信号として返信し、これを受信したワイヤレスリモコン発信器では、その動作モードの状態に応じた報知を行う報知制御手段を備えていることを特徴としている。
【００１１】
請求項２に記載の防犯システムは、ワイヤレスリモコン発信器は、警戒、警戒解除ボタンを設けており、防犯受信機から状態通知信号を受けると防犯受信機に対して遠隔操作が有効なボタンを教示する表示制御手段を更に備えている。
【００１２】
請求項３に記載の防犯システムは、ワイヤレスリモコン発信器は、電源ボタンを設けており、この電源ボタンを操作すると、防犯受信機に対して状態要求信号を発信し、その後は防犯受信機から状態通知信号を受信すると、表示制御手段を作動して、遠隔操作の可能な操作ボタンを教示した後に、電源を自動的に遮断する構成にしている。
【００１３】
請求項４に記載の防犯システムは、ワイヤレスリモコン発信器は、防犯受信機から状態通知信号を受けたときには、教示された遠隔操作の可能なボタン以外の操作によるワイヤレス発信を禁止する構成にしている。
【発明の効果】
【００１４】
請求項１〜４に記載の本発明によれば、次の効果を奏する。
【００１５】
すなわち、請求項１に記載の防犯システムによれば、防犯受信機は、ワイヤレスリモコン発信器から状態要求信号を受信したときには、防犯受信機で作動中になっている動作モードの状態を状態通知信号として返信し、これを受信したワイヤレスリモコン発信器では、その動作モードの状態に応じた報知を行うようにしているため、ワイヤレスリモコン発信器から状態要求信号を送出すれば、その返信信号によってワイヤレスリモコン発信器で防犯受信機での動作モードの状態を報知でき、簡易に動作モードを確認することができる。
【００１６】
請求項２に記載の防犯システムによれば、ワイヤレスリモコン発信器は、警戒、警戒解除ボタンを設けており、防犯受信機から状態通知信号を受けると、防犯受信機に対して遠隔操作が有効なボタンを教示する表示制御手段を更に備えているため、ワイヤレスリモコン発信器での誤操作や無駄な操作を行うことを防止できる。
【００１７】
請求項３に記載の防犯システムによれば、ワイヤレスリモコン発信器は、電源ボタンの操作によって状態要求信号を発信する構成にしているため、操作者は必要なときには電源をオンするだけで遠隔操作の可能な操作ボタンが教示されるため、遠隔操作可能なボタンを迅速に把握できる。また、遠隔操作の可能な操作ボタンを教示した後に、電源を自動的に遮断する構成にしているため、動作モードを把握し、必要なモード設定操作が済めばオフ操作することなく自動的に電源オフとなるため、操作性がよく、電池の省エネ化も図れる。
【００１８】
請求項４に記載の防犯システムによれば、ワイヤレスリモコン発信器は、防犯受信機から状態通知信号を受けたときには、教示された遠隔操作の可能なボタン以外の操作によるワイヤレス発信を禁止する構成にしているため、誤操作のおそれがなく、かつ無駄な発信をすることがないので電池の省エネ化が図れる。
【発明を実施するための最良の形態】
【００１９】
以下に、本発明の実施の形態について、添付図面とともに説明する。
【実施例１】
【００２０】
図１は本発明の防犯システムＡの概略基本構成の一例を示す系統図、図２はその防犯システムＡに使用される防犯受信機１０の概略外観図である。
【００２１】
この防犯システムＡは、住居やオフィス、集合住宅などに使用されるものであって、建物内の適所に設置された防犯受信機１０と、窓や玄関などに設置された複数の防犯センサ３０・・・と、警戒モード、警戒解除モード、報知モードの設定を遠隔操作で行うためのワイヤレスリモコン発信器４０とを組み合わせて構成されている。
【００２２】
防犯受信機１０は、ＣＰＵ（不図示）などで構成される制御部１１、種々の操作ボタンで構成された操作ボタン部１２、防犯センサ３０から感知信号を受けたときにその防犯センサ３０に対応したシンボルなどを点灯表示するためのＬＥＤ１３ｘや、後述する操作ボタン１２ａ、１２ｂ、１２ｃに対応したＬＥＤ１３ａ、１３ｂ、１３ｃや点灯制御回路を含んだ警報表示部１３、電源部１４、アンテナ２０を介して防犯センサ３０やワイヤレスリモコン発信器４０と送、受信するための送信部１５、受信部１６、音声を生成する音声合成部１７、合成された音声や鳴動音を出力するスピーカ１８、複数の防犯センサ３０を識別するためのＩＤ記憶手段１９を含んで構成されている。
【００２３】
制御部１１は、ＣＰＵのほか、防犯センサ３０の属する監視エリアを判別する判別制御手段１１ａ、警戒／報知／警戒解除の各モードの切替動作を実行するモード切替手段１１ｂ、鳴動音切替手段１１ｃ、インターネットなど外部との通信制御を行う通信制御手段１１ｄ、ＩＤ照合手段１１ｅなどのソフトウェアまたはハード回路を含んで構成されている。
【００２４】
また、防犯受信機１０の外観は図２に示されており、１３Ａは表示パネル、１８ａはスピーカ孔、１２ａ、１２ｂ、１２ｃ、１２ｄはそれぞれ警戒ボタン、警戒解除ボタン、報知ボタン、確認ボタンである。なお、警戒ボタン１２ａ、警戒解除ボタン１２ｂ、報知ボタン１２ｃには、それぞれに対応したＬＥＤ１３ａ、１３ｂ、１３ｃが埋設されている。
【００２５】
警戒ボタン１２ａは警戒モードに設定するための操作ボタン、警戒解除ボタン１２ｂは警戒モードを解除するための操作ボタン、報知ボタン１２ｃは報知モードに設定するための操作ボタン、確認ボタン１２ｄは、防犯センサ３０の感知信号を受信して警報出力がされたときに、その警報を確認するための操作ボタンである。
【００２６】
ここで、報知モードは、警戒モードと同様に防犯センサ３０からの感知信号を監視し、感知信号を受信したときに警報出力するモードであるが、例えば警戒モードを留守中の防犯監視モードとして、報知モードを在宅中の防犯監視モードとして使用させるために、警戒モードと報知モードとで警報表示やエラー音鳴動の態様を異ならせることが望ましい。また、警戒モードのときは、外部通報を可能とした構成にしてもよい。
【００２７】
表示パネル１３Ａは、透過性のシートで構成されており、種々の防犯センサ３０に対応したＬＥＤ１３ｘなどの点灯機器を被覆し、防犯センサ３０の感知信号を受信して該当のＬＥＤが点滅、点灯したときに、その該当ＬＥＤ１３ｘの照明がシートを透過して、監視対象のシンボルなどが表示される構成となっている。なお、表示パネル１３Ａはこのような構成に限られない。
【００２８】
一方、防犯センサ３０は、窓や玄関などに設置されるもので、それぞれセンサ部３１、アンテナ３２を含んで構成されている。なお、防犯センサ３０は、アンテナ３２を設けて無線でセンサ３１による感知信号を送出するようにしているが、有線により送出する構成であってもよい。また、防犯センサ３０は建物内の監視エリアごとにグルーピングされていてもよい。その場合には、例えば監視エリアごとに感知信号の周波数を異ならせたり、ＩＤコードを異ならせ、監視エリアに割り当てることによって、防犯受信機１０でエリアを判別できるようにすればよい。
【００２９】
また、ワイヤレスリモコン発信器４０は、モード切替を遠隔操作にて行うための機器であり、ＣＰＵ（不図示）やソフトウェア、ハード回路などで構成される制御部４１と、モード切替の遠隔操作などをするための操作ボタン部４２と、複数のＬＥＤ４３ａ〜４３ｄで構成された表示部４３と、アンテナ４４と、送信部４５と、受信部４６と、警報音を鳴動させる鳴動部４７とを含んで構成されている。
【００３０】
制御部４１は、防犯受信機１０からの動作モードの状態通知信号を報知制御する報知制御手段４１ａ、表示部４３を表示制御する表示制御手段４１ｂを有しており、操作部４２は、モード切替用の警戒ボタン４２ａ、警戒解除ボタン４２ｂ、報知ボタン４２ｃと、電源ボタン４２ｄとを有している。
【００３１】
本発明は、このワイヤレスリモコン発信器４０で防犯受信機１０の動作モードの状態を報知できるようにしたことを特徴とするもので、以下に、ワイヤレスリモコン発信器４０の外観および詳細動作について、図３〜図５を参照しながら説明する。なお、防犯システムＡの防犯受信機１０における防犯監視の基本動作については図６にて、ワイヤレスリモコン発信器４０からの受信時の動作については図７にて後述する。
【００３２】
図３はワイヤレスリモコン発信器４０の外観を示す図で、（ａ）はワイヤレスリモコン発信器の斜視図、（ｂ）は正面図である。
【００３３】
ワイヤレスリモコン発信器４０は、ポケットなどに入れて持ち歩きが可能な携帯型発信器により構成されており、警戒ボタン４２ａ、報知ボタン４２ｃ、警戒解除ボタン４２ｂ、電源ボタン４２ｄなどの操作ボタンと、これらそれぞれのボタンに対応して点灯（点滅）、消灯する警戒ＬＥＤ４３ａ、警戒解除ＬＥＤ４３ｂ、報知ＬＥＤ４３ｃ、電源ＬＥＤ４３ｄなどの表示部４３とを備えている。なお、４８は発信器本体を吊り下げ保持するためのキーリングである。
【００３４】
ワイヤレスリモコン発信器４０は、上記操作ボタン４２ａ〜４２ｃの操作によって防犯受信機１０のモード設定を遠隔操作するとともに、それに対する各ＬＥＤ４３ａ〜４３ｃによって動作中のモードを報知、表示する構成としており、制御部４１がそれらの遠隔通信制御、報知制御、表示制御を実行する。
【００３５】
図４、図５は、ワイヤレスリモコン発信器４０の基本動作を示すフローチャートである。なお、図４、図５は連続した動作フローであるが、それらは、接続子（１）、（２）を用いて連結させている。以下、フローに沿って説明する。
【００３６】
電源ボタン４２ｄが押下されると、電源をオンとし、防犯受信機１０に対して状態要求信号を発信し、電源ＬＥＤ４３ｄを点滅させる（１０１〜１０４）。次に、防犯受信機１０からの状態通知信号の受信を一定時間待ち、返信されてきた状態通知信号を受信すると電源ＬＥＤ４３ｄの点滅状態を点灯に変え、その状態通知信号が警報発生中であることを示すものであれば、全てのＬＥＤ４３ａ、４３ｂ、４３ｃ、４３ｄを点滅させ、エラー音を鳴動させ、一定時間エラー報知した後、電源オフ処理（ＬＥＤ消灯、鳴動停止など）を行う（１０５〜１１０）。
【００３７】
なお、防犯受信機１０から警報発生中であることを示す信号を受信したときのエラー処理（１０８）は、緊急を要するものであるため、以下に説明する他のエラー処理（例えば１１１など）とはＬＥＤ点滅、エラー音鳴動の出力態様を異ならせることが望ましい。
【００３８】
また、状態通知信号受信待ちがタイムアップしたときは、全てのＬＥＤ４３ａ、４３ｂ、４３ｃ、４３ｄを点滅させ、エラー音を鳴動させ、一定時間エラー報知した後、電源オフ処理を行う（１１０、１１１、１０９）。
【００３９】
防犯受信機１０からの状態通知信号の内容が警報発生中以外の場合、つまり動作モードの状態を通知する内容であるとき、各モードを判断して各動作モードに対応した報知、表示制御を行う（図５のモード判断へ）。
【００４０】
状態通知信号の内容が警戒モードまたは報知モードのときは、警戒解除ＬＥＤ４３ｂを点滅させ、警戒解除ボタン４２ｂの押下を一定時間待ち、警戒解除ボタン４２ｂが押下されると、警戒解除モードに切り替えるための警戒解除信号を送信する（２０１〜２０４、２０６、２０８）。
【００４１】
なお、警戒解除ボタン４２ａの押下待ちがタイムアップしたときは、（１）の電源オフ処理に戻り（２０５）、警戒解除ボタン４２ｂ以外のボタン操作がされたときは、エラー音を鳴動させて、警戒解除ボタン４２の押下待ち状態に戻る（２０６、２０７、２０４）。
【００４２】
状態通知信号の内容が警戒解除モードのときは、警戒ＬＥＤ４３ａと報知ＬＥＤ４３ｃとを点滅させ（２２１、２２２）、警戒ボタン４２ａまたは報知ボタン４２ｃの押下を一定時間待ち（２２３、２２４）、警戒ボタン４２ａが押下されると、警戒モードに切り替えるための警戒セット信号を送信する一方（２２５、２２８）、報知ボタン４２ｃが押下されると、報知モードに切り替えるための報知セット信号を送信する（２２６、２２９）。
【００４３】
なお、ボタンの押下待ちがタイムアップしたときは、（１）の電源オフ処理に戻り（２２４）、警戒解除ボタン４２ｂの操作がされたときは、エラー音を鳴動させて、警戒ボタン４２ａまたは報知ボタン４２ｃの押下待ち状態に戻る（２２６、２２７、２２３）。
【００４４】
また、状態通知信号の内容が警報発生中あるいはいずれのモードでもない異常信号の場合は、全てのＬＥＤ４３ａ、４３ｂ、４３ｃ、４３ｄを点滅させ、エラー音を鳴動させて（２２１、２３０）、（１）の電源オフ処理に戻る。
【００４５】
上記のいずれかのモード切替信号を送出（２０８、２２８または２２９）してから、防犯受信機１０からの実行結果（ＯＫまたはＮＧ）信号の受信を一定時間待ち、受信した実行結果信号の内容がＯＫであれば、防犯受信機１０のモードが設定されたと判断して対応するＬＥＤ（警戒ＬＥＤ４３ａ、警戒解除ＬＥＤ４３ｂまたは報知ＬＥＤ４３ｃ）を点灯させてＯＫ音を鳴動させて（２４１、２４２、２４４、２４５）、（１）の電源オフ処理に戻る。
【００４６】
防犯受信機１０からの実行結果信号の受信がタイムアップしたときは、全てのＬＥＤ４３ａ、４３ｂ、４３ｃ、４３ｄを点滅させ、エラー音を鳴動させて（２４２、２４３）、（１）の電源オフ処理に戻る。
【００４７】
また、受信した実行結果信号の内容がＯＫでなければ、（２）の状態要求信号の送信処理（１０３）に戻り、これをＮ回リトライしてもＯＫとならなかったときは、全てのＬＥＤ４３ａ、４３ｂ、４３ｃ、４３ｄを点滅させ、エラー音を鳴動させて（２４６、２４７）、（１）の電源オフ処理に戻る。
【００４８】
以上に示したように、電源ボタン４２ｄが押下されると状態要求信号を防犯受信機１０に発信し、防犯受信機１０の動作モード、警報発生中などの状態を通知してもらう構成となっているため、状態通知信号を受信したワイヤレスリモコン発信器４０では、簡易に動作モードを確認することができる。
【００４９】
特に、防犯受信機１０から状態通知信号を受けると、警戒ボタン４２ａ、報知ボタン４２ｃ、警戒解除ボタン４２ｂのうちから、防犯受信機１０に対して遠隔操作が有効なボタンを教示する構成となっているため、ワイヤレスリモコン発信器４０での誤操作（例えば窓開のときの警戒セット操作や警報発生中の警戒解除操作などの思い込み操作を含む）や無駄な操作を防止することができる。
【００５０】
なお、状態要求信号は、専用の操作ボタン（不図示）の操作、あるいは操作ボタンを兼用して長押し等の操作により発信するようにしてもよいが、上記のように電源ボタン４２ｄの操作で発信するようにすれば、操作者は必要なときには電源をオンするだけで遠隔操作の可能な操作ボタンが報知、教示されるため、遠隔操作可能なボタンを迅速に確認できる。また、遠隔操作の可能な操作ボタンをＬＥＤで報知、教示した後に、電源を自動的に遮断する構成にしているため、動作モードを把握し、必要なモード設定操作が済めばオフ操作することなく自動的に電源オフとなり、操作性がよく、電池の省エネ化も図れる。
【００５１】
また、ワイヤレスリモコン発信器４０は、防犯受信機１０から状態通知信号を受けたときには、教示された遠隔操作の可能なボタン以外の操作による発信を禁止する構成にしているため、誤操作のおそれがなく、かつ無駄な発信をすることがないので電池の省エネ化が図れる。
【００５２】
次に、防犯受信機１０における警戒モード、報知モード、警戒解除モードおよび警報発生時の動作について説明する。図６は防犯受信機１０の基本動作を示すフローチャートである。また、図７（ａ）はワイヤレスリモコン発信器４０からの状態要求信号を受け付ける割込み処理を示すフローチャート、（ｂ）はワイヤレスリモコン発信器４０からのモード切替信号を受け付ける割込み処理を示すフローチャートである。
【００５３】
まず、防犯受信機１０の防犯監視の基本動作（図６）について説明する。
【００５４】
防犯受信機１０の電源を立ち上げると、警戒解除モードが自動設定され、警戒解除ＬＥＤ１３ｂを点灯させ、警戒解除モードが開始する。警戒解除モーでは、警戒ボタン１２ａ、報知ボタン１２ｃの押下を待ち、いずれかのボタンが操作されると、警戒解除ＬＥＤ１３ｂを消灯させて、代わりに警戒ＬＥＤまたは報知ＬＥＤを点灯させ（３００〜３０３）、警戒モードまたは報知モードが開始する。
【００５５】
警戒モードまたは報知モードでは、防犯センサ３０からの感知信号の受信を監視し、受信があると、信号に含まれる登録ＩＤから防犯センサ３０を特定し、そのセンサに対応したＬＥＤ１３ｘを点灯させてシンボルを表示パネル１３Ａ上に表示し、警戒ＬＥＤ１３ａまたは報知ＬＥＤ１３ｃを点滅させ、警戒モードまたは報知モードに対応した警報音を鳴動させる（３０４〜３０７）。
【００５６】
次に、警戒解除ボタン１２ｂの押下を待ち、警戒解除ボタン１２ｂが操作されると、あるいは一定時間ボタン操作がないときには、警報音を停止する（３０８〜３１１）。
【００５７】
ついで、確認ボタン１２ｄが押下されると、特定した防犯センサ３０に対応する音声による案内（警報）を出力し、さらに解除ボタン１２ｂが押下されると、シンボルを消灯させ、警戒ＬＥＤ１３ａまたは報知ＬＥＤ１３ｃを消灯させ（３１２〜３１６）、警戒モードを終了し、警戒解除モードに移行する。
【００５８】
上記の防犯監視の基本動作では、警戒ボタン１２ａによる警戒モードへの設定を無条件でできるようにしているが、防犯センサ３０の電源オフ状態など所定の条件のときには警戒モードの設定ができないようにしてもよい。また、１つの防犯センサ３０が作動して警報状態となったときに、他の防犯センサの作動を感知できる構成とするほうが望ましい。
【００５９】
一方、防犯受信機１０は、ワイヤレスリモコン発信器４０からの信号にもとづいた各処理も実行する。
【００６０】
図７（ａ）に示すように防犯受信機１０は、図６の防犯監視の動作中にかかわらずワイヤレスリモコン発信器４０より状態要求信号を受信した時には、状態通知信号をワイヤレスリモコン発信器４０に返信する動作を実行する（３２０）。
【００６１】
また、図７（ｂ）に示すように防犯受信機１０は、ワイヤレスリモコン発信器４０よりモード切替信号を受信した時には、切替が要求されたモードごとに、切替が可能な状態かどうかを判断し、それに応じてＯＫまたはＮＧ信号を返信し、ＯＫの場合は、各モードに応じた開始処理へ移行する（３３０〜３３４）。
【００６２】
より具体的には、要求された切替が警戒モードへの切替の場合には、窓開などによりオフ状態となっている防犯センサを判別し、オフとなっているものがあれば切替不可と判断することが望ましく、要求された切替が警戒解除モードへの切替の場合には、警報発生中のときに切替不可と判断することが望ましい。
【図面の簡単な説明】
【００６３】
【図１】（ａ）は本発明の防犯システムの概略基本構成を示す系統図、（ｂ）はワイヤレスリモコン発信器の基本構成を示すブロック図である。
【図２】防犯受信機の概略外観図である。
【図３】（ａ）はワイヤレスリモコン発信器の斜視図、（ｂ）は正面図である。
【図４】ワイヤレスリモコン発信器の基本動作（１）を示すフローチャートである。
【図５】ワイヤレスリモコン発信器の基本動作（２）を示すフローチャートである。
【図６】防犯受信機の防犯監視の基本動作を示すフローチャートである。
【図７】（ａ）は防犯受信機のワイヤレスリモコン発信器からの状態要求受信時の動作を示すフローチャート、（ｂ）は防犯受信機のワイヤレスリモコン発信器からのモード切替信号受信時の動作を示すフローチャートである。
【符号の説明】
【００６４】
Ａ      防犯システム
１０      防犯受信機
３０      防犯センサ
４０      ワイヤレスリモコン発信器
４１      制御部
４１ａ      報知制御手段
４１ｂ      表示制御手段
４２      操作ボタン部
４２ａ      警戒ボタン
４２ｂ      警戒解除ボタン
４２ｃ      報知ボタン
４２ｄ      電源ボタン
４３      表示部
４３ａ      警戒ＬＥＤ
４３ｂ      警戒解除ＬＥＤ
４３ｃ      報知ＬＥＤ
４３ｄ      電源ＬＥＤ
【図１】
2007233570.tif 000003
【図２】
2007233570.tif 000004
【図３】
2007233570.tif 000005
【図４】
2007233570.tif 000006
【図５】
2007233570.tif 000007
【図６】
2007233570.tif 000008
【図７】
2007233570.tif 000009
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
ワイヤレスリモコン発信器と、このワイヤレスリモコン発信器からの遠隔操作信号を受け付けて、防犯システムを警戒モード、警戒解除モードに少なくとも設定する防犯受信機とを組み合わせて成り、
上記防犯受信機は、上記ワイヤレスリモコン発信器から状態要求信号を受信したときには、該防犯受信機で作動中になっている動作モードの状態を状態通知信号として返信する構成とされる一方、
上記ワイヤレスリモコン発信器は、上記防犯受信機より上記状態通知信号を受信したときに、動作モードの状態に応じた報知を行う報知制御手段と、警戒、警戒解除ボタンと、これらボタンに対応した各表示部と、上記状態通知信号を受信したときに、上記防犯受信機に対する遠隔操作が有効なボタンを、上記各表示部を表示させることで教示する表示制御手段とを備えていることを特徴とする防犯システム。
【請求項２】
請求項１において、
上記ワイヤレスリモコン発信器は、電源ボタンを有しており、該電源ボタンを操作すると、上記防犯受信機に対して上記状態要求信号を発信し、その後は上記防犯受信機から上記状態通知信号を受信すると、上記表示制御手段を作動して、遠隔操作の可能な操作ボタンを教示した後に、電源を自動的に遮断する構成にしていることを特徴とする防犯システム。
【請求項３】
請求項１または２において、
上記ワイヤレスリモコン発信器は、上記防犯受信機から上記状態通知信号を受けたときには、上記教示された遠隔操作の可能なボタン以外の操作によるワイヤレス発信を禁止する構成にしていることを特徴とする防犯システム。
【手続補正２】
【補正対象書類名】明細書
【補正対象項目名】００１０
【補正方法】変更
【補正の内容】
【００１０】
上記目的を達成するために請求項１に記載の防犯システムは、ワイヤレスリモコン発信器と、このワイヤレスリモコン発信器からの遠隔操作信号を受け付けて、防犯システムを警戒モード、警戒解除モードに少なくとも設定する防犯受信機とを組み合わせて成り、防犯受信機は、ワイヤレスリモコン発信器から状態要求信号を受信したときには、該防犯受信機で作動中になっている動作モードの状態を状態通知信号として返信する構成とされる一方、ワイヤレスリモコン発信器は、防犯受信機より状態通知信号を受信したときに、動作モードの状態に応じた報知を行う報知制御手段と、警戒、警戒解除ボタンと、これらボタンに対応した各表示部と、状態通知信号を受信したときに、防犯受信機に対する遠隔操作が有効なボタンを、各表示部を表示させることで教示する表示制御手段とを備えていることを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２に記載の防犯システムは、ワイヤレスリモコン発信器は、電源ボタンを有しており、この電源ボタンを操作すると、防犯受信機に対して状態要求信号を発信し、その後は防犯受信機から状態通知信号を受信すると、表示制御手段を作動して、遠隔操作の可能な操作ボタンを教示した後に、電源を自動的に遮断する構成にしている。
【手続補正５】
【補正対象書類名】明細書
【補正対象項目名】００１３
【補正方法】変更
【補正の内容】
【００１３】
請求項３に記載の防犯システムは、ワイヤレスリモコン発信器は、防犯受信機から状態通知信号を受けたときには、教示された遠隔操作の可能なボタン以外の操作によるワイヤレス発信を禁止する構成にしている。
【手続補正６】
【補正対象書類名】明細書
【補正対象項目名】００１４
【補正方法】変更
【補正の内容】
【００１４】
請求項１〜３に記載の本発明によれば、次の効果を奏する。
【手続補正７】
【補正対象書類名】明細書
【補正対象項目名】００１６
【補正方法】変更
【補正の内容】
【００１６】
さらに請求項１に記載の防犯システムによれば、ワイヤレスリモコン発信器は、警戒、警戒解除ボタンを設けており、防犯受信機から状態通知信号を受けると、防犯受信機に対して遠隔操作が有効なボタンを教示する表示制御手段を更に備えているため、ワイヤレスリモコン発信器での誤操作や無駄な操作を行うことを防止できる。
【手続補正８】
【補正対象書類名】明細書
【補正対象項目名】００１７
【補正方法】変更
【補正の内容】
【００１７】
請求項２に記載の防犯システムによれば、ワイヤレスリモコン発信器は、電源ボタンの操作によって状態要求信号を発信する構成にしているため、操作者は必要なときには電源をオンするだけで遠隔操作の可能な操作ボタンが教示されるため、遠隔操作可能なボタンを迅速に把握できる。また、遠隔操作の可能な操作ボタンを教示した後に、電源を自動的に遮断する構成にしているため、動作モードを把握し、必要なモード設定操作が済めばオフ操作することなく自動的に電源オフとなるため、操作性がよく、電池の省エネ化も図れる。
【手続補正９】
【補正対象書類名】明細書
【補正対象項目名】００１８
【補正方法】変更
【補正の内容】
【００１８】
請求項３に記載の防犯システムによれば、ワイヤレスリモコン発信器は、防犯受信機から状態通知信号を受けたときには、教示された遠隔操作の可能なボタン以外の操作によるワイヤレス発信を禁止する構成にしているため、誤操作のおそれがなく、かつ無駄な発信をすることがないので電池の省エネ化が図れる。